(57)【要約】      （修正有）【課題】植木の剪定によって生じる枝葉などのごみを運ぶためのごみ運搬具において、ごみの運搬量を増やし、ごみの運搬前後の手間を省く。【解決手段】平面状の布シート２の両端に一対の円柱状の芯棒３が取り付けられ、各芯棒３はグリップ部３ａを露出させている。布シート２を二重に折り曲げることにより、ごみを挟み込んで保持した状態で運搬することができる。ごみを運ぶ前に、ごみを詰め込む必要がない。ごみを運んだ後に、布シート２を広げることにより、ごみを簡単に素早く払い出すことができる。【選択図】図２
0003113052.tif 000002
【実用新案登録請求の範囲】
【請求項１】
平面状の布シートを有し、
前記布シートの両端に一対の芯棒がそれぞれグリップ部を露出させて取り付けられていることを特徴とするごみ運搬具。
【請求項２】
前記芯棒は、グリップ部がクランク状に曲がっていることを特徴とする請求項１に記載のごみ運搬具。
【請求項３】
前記芯棒は、前記布シートに対して回転自在となっていることを特徴とする請求項２に記載のごみ運搬具。
【請求項４】
前記芯棒のグリップ部は、運搬者の手指の把持ラインに合致する曲面状に形成されていることを特徴とする請求項１乃至３のいずれかに記載のごみ運搬具。
【考案の詳細な説明】
【技術分野】
【０００１】
本考案は、植木の剪定によって生じる枝葉や、建築・土木現場で発生する端材、端石、砂利などのごみを運ぶためのごみ運搬具に関するものである。
【背景技術】
【０００２】
従来、この種のごみ運搬具としては、ごみ袋やキャリーバッグなどの袋が広く用いられていた。
【考案の開示】
【考案が解決しようとする課題】
【０００３】
しかし、これでは次のような不都合があった。
【０００４】
第１に、袋の容積が決まっているため、ごみの運搬量が限られる。
【０００５】
第２に、ごみを運ぶときに、ごみを袋に詰め込まなければならない。そのためには、枝葉であれば、これを短く切る必要があり、端材などの場合は、これを細かく砕かなければならない。その結果、ごみの運搬前の準備作業に手間取る。
【０００６】
第３に、ごみを運び終えてから取り出すときに、ごみが袋の縁などに引っ掛かって出にくいため、ごみの運搬後の放出作業にも手間取る。
【０００７】
本考案は、こうした不都合を解消することが可能なごみ運搬具を提供することを目的とする。
【課題を解決するための手段】
【０００８】
まず、請求項１に係る考案は、平面状の布シートを有し、前記布シートの両端に一対の芯棒がそれぞれグリップ部を露出させて取り付けられていることを特徴とする。
また、請求項２に係る考案は、前記芯棒は、グリップ部がクランク状に曲がっていることを特徴とする。
また、請求項３に係る考案は、前記芯棒は、前記布シートに対して回転自在となっていることを特徴とする。
また、請求項４に係る考案は、前記芯棒のグリップ部は、運搬者の手指の把持ラインに合致する曲面状に形成されていることを特徴とする。
【考案の効果】
【０００９】
本考案によれば、布シートを二重に折り曲げることにより、ごみを挟み込んで保持した状態で運搬することができる。したがって、多量のごみを運ぶことができる。
【００１０】
また、ごみを運ぶ前に、従来の袋と異なり、ごみを詰め込む必要がない。その結果、ごみの運搬前の準備作業に手間がかからない。
【００１１】
さらに、ごみを運んだ後に、布シートを広げることにより、ごみを簡単に素早く払い出すことができる。そのため、ごみの運搬後のごみ放出作業にも手間がかからない。
【考案を実施するための最良の形態】
【００１２】
以下、本考案の実施形態を図面に基づいて説明する。
【００１３】
＜第１の実施形態＞
ごみ運搬具１は、図１に示すように、木綿、合成樹脂などの生地からなる長方形平面状の布シート２を有しており、布シート２のサイズの一例を挙げると、幅１００ｃｍ、長さ１３０ｃｍ、厚さ１ｍｍである。
【００１４】
この布シート２の両端には、一対の円柱状のアルミニウムからなる芯棒３が、それぞれグリップ部３ａを露出させて取り付けられている。すなわち、布シート２の両端辺には、それぞれ中央部に矩形状の切り欠き部２ａが形成されており、切り欠き部２ａの両側にはそれぞれ、図１（ｂ）に示すように、布シート２の端部が折り返して縫われた形で芯棒差込部２ｂ、２ｃが形成されている。そして、これらの芯棒差込部２ｂ、２ｃには芯棒３が差し込まれている。ここで、芯棒３の中央のグリップ部３ａは、図１（ａ）に示すように、布シート２の切り欠き部２ａに位置するため、露出した状態となっている。また、芯棒３の両端は布シート２の芯棒差込部２ｂ、２ｃから少し突出している。さらに、布シート２の各切り欠き部２ａの周囲にはそれぞれ、木綿などの生地からなるコの字形の補強シート５が縫い付けられている。
【００１５】
ごみ運搬具１は以上のような構成を有するので、このごみ運搬具１を用いて枝葉を剪定現場からパッカー車（機械式ごみ収集車）まで運ぶ際には次の手順による。
【００１６】
まず、図１に示すように、ごみ運搬具１の布シート２を剪定現場の地面に広げ、この布シート２上に枝葉１０を掃き入れる。
【００１７】
次に、両方の芯棒３のグリップ部３ａを両手で把持して持ち上げる。すると、図２に示すように、布シート２は二重に折れ曲がって枝葉１０を挟み込む。このとき、枝葉１０は、布シート２から力を受けて中央に結束するため、布シート２に確実に保持された状態となる。これで枝葉１０の運搬前の準備作業が終了する。このように、従来の袋と異なり、枝葉１０を詰め込む必要がないので、枝葉１０の運搬前の準備作業に手間がかからない。
【００１８】
この状態で、両方の芯棒３のグリップ部３ａを片手で把持し、枝葉１０をパッカー車（図示せず）まで運搬する。このとき、ごみ運搬具１の前後が開放されているので、枝葉１０の運搬量が限られる従来の袋と違って、長いものも含めて多量の枝葉１０を運ぶことができる。また、枝葉１０は布シート２に確実に保持されているので、途中で脱落する心配はない。
【００１９】
そして、枝葉１０をパッカー車まで運搬したところで、いずれかの芯棒３のグリップ部３ａを離す。すると、布シート２が広がり、枝葉１０が自重で落下する。したがって、枝葉１０を簡単に素早く払い出すことができ、枝葉１０の運搬後の放出作業に手間がかからない。
【００２０】
しかも、ごみ運搬具１は小さく折り畳むことができるので、非使用時に嵩張らず、保管が楽である。また、ごみ運搬具１は構成が簡単であるため、安価に製作することができる。
【００２１】
＜第２の実施形態＞
なお、上述の実施形態においては、直線状の芯棒３を布シート２に取り付ける場合について説明した。しかし、図３に示すように、グリップ部３ａがクランク状に曲がった芯棒３を布シート２の芯棒差込部２ｂ、２ｃに緩く（遊びがある状態で）差し込むことにより、この芯棒３を布シート２に対して矢印Ｍ方向に回転自在に取り付けることも可能である。
【００２２】
この場合、ごみ運搬具１を使用するときには、図３に実線で示すように、芯棒３を矢印Ｍ方向に回転させてグリップ部３ａを外側（布シート２と反対側）に位置決めすることにより、布シート２の全長を余すところなく有効に使って多量のごみを一度に運ぶことができる。他方、ごみ運搬具１を使用しないときには、図３に想像線で示すように、芯棒３を矢印Ｍ方向に回転させてグリップ部３ａを布シート２の切り欠き部２ａに収納することにより、ごみ運搬具１をコンパクトに保管することができる。さらに、芯棒３はグリップ部３ａがクランク状に曲がっているため、芯棒３を布シート２の芯棒差込部２ｂ、２ｃに緩く取り付けたからといって、芯棒３が布シート２から抜け落ちる心配はない。
【００２３】
＜第３の実施形態＞
なお、上述の実施形態においては、芯棒３がグリップ部３ａも含めて円柱状（つまり、円形断面で直線状）である場合について説明した。しかし、図４（ａ）、（ｂ）に示すように、芯棒３のグリップ部３ａを運搬者の手指の把持ラインに合致する曲面状に形成しても構わない。この場合、グリップ部３ａが手指に馴染んで持ちやすくなり、長時間の運搬でも疲れにくくなる。或いはまた、円筒状の芯棒３を用いてもよい。この場合、芯棒３、ひいてはごみ運搬具１全体が軽量化される結果となる。
【００２４】
＜その他の実施形態＞
なお、上述の実施形態においては、アルミニウム製の芯棒３を用いる場合について説明したが、芯棒３の材質はアルミニウムに限るわけではなく、例えば木材、竹材、合成樹脂などを代用しても構わない。
【００２５】
なお、上述の実施形態においては、芯棒３の両端が布シート２の芯棒差込部２ｂ、２ｃから突出している場合について説明したが、芯棒３の両端は必ずしも布シート２から突出させる必要はない。
【００２６】
なお、上述の実施形態においては、ごみ運搬具１で枝葉１０を運ぶ場合について説明したが、枝葉１０以外のごみ（例えば、建築・土木現場で発生する端材、端石、砂利など）を運ぶ際に、このごみ運搬具１を用いることも勿論できる。
【図面の簡単な説明】
【００２７】
【図１】本考案に係るごみ運搬具の第１の実施形態を示す図であって、（ａ）はその正面図、（ｂ）はその側面図である。
【図２】図１に示すごみ運搬具の使用状態を示す斜視図である。
【図３】本考案に係るごみ運搬具の第２の実施形態を示す正面図である。
【図４】本考案に係るごみ運搬具の第３の実施形態の要部を示す正面図である。
【符号の説明】
【００２８】
１……ごみ運搬具
２……布シート
２ａ……切り欠き部
２ｂ、２ｃ……芯棒差込部
３……芯棒
３ａ……グリップ部
５……補強シート
１０……枝葉
【図１】
0003113052.tif 000003
【図２】
0003113052.tif 000004
【図３】
0003113052.tif 000005
【図４】
0003113052.tif 000006